(57)【要約】【課題】意匠性を向上できると共に操作性を向上できるハンドルを備える建具を提供すること。【解決手段】建具１は、枠体１０と、枠体１０内に開閉可能に取り付けられる障子２０と、枠体１０の下枠１２に取り付けられ、障子２０を開閉操作可能な操作部５３と、を備え、下枠１２は、面材２５よりも室内側において下枠１２の上方側の見込面１２ａに形成される開口１２３ａを有し、操作部５３は、開口１２３ａを介して下枠１２の内部に収容される収容位置と、開口１２３ａを介して下枠１２の内部から突出される突出位置と、に回動軸を中心に回動可能であり、回動軸Ｊ１は、下枠１２の内部に配置され、面材２５から室内側に向かうに従って下枠１２の上方側から下方側に向かう側に傾斜して延びて形成される。【選択図】図６Ｂ
2020020119.tif 000002
【特許請求の範囲】
【請求項１】
枠体と、
前記枠体内に開閉可能に取り付けられる障子であって、框体と、前記框体の内側に配置される面材と、を有する障子と、
前記枠体の下枠に取り付けられ、前記障子を開閉操作可能な操作部と、を備え、
前記下枠は、前記面材よりも室内側において前記下枠の上方側の見込面に形成される開口を有し、
前記操作部は、前記開口を介して前記下枠の内部に収容される収容位置と、前記開口を介して前記下枠の内部から突出される突出位置と、に回動軸を中心に回動可能であり、
前記回動軸は、前記下枠の内部に配置され、前記面材から室内側に向かうに従って前記下枠の上方側から下方側に向かう側に傾斜して延びて形成される建具。
【請求項２】
前記下枠の内部に配置され前記操作部を収容可能な収容部を有し、
前記収容部は、前記下枠の下方側から上方側に向かうに従って前記面材から室内側に向かう側に傾斜して延びて形成される請求項１に記載の建具。
【請求項３】
前記操作部は、前記突出位置に位置した状態で、前記回動軸に交差する方向に延びる操作回転軸を中心に回転可能に構成され、
前記操作回転軸は、前記下枠の下方側から上方側に向かうに従って前記面材から室内側に向かう側に傾斜して延びて形成される請求項１又は２に記載の建具。
【請求項４】
前記操作部は、前記下枠の前記開口を塞ぐ蓋部材を構成し、
前記操作部の表面は、前記下枠の見込面を兼ねて構成される請求項１〜３のいずれかに記載の建具。
【発明の詳細な説明】
【技術分野】
【０００１】
本発明は、障子を開閉するためのハンドルを備えた建具に関する。
【背景技術】
【０００２】
従来、窓（障子）を開閉するためのハンドルを備えた建具が知られている（例えば、特許文献１参照）。特許文献１に記載の建具においては、ハンドルとして、オペレータハンドルが用いられている。オペレータハンドルは、建具の枠体の下枠の見込面に取り付けられている。
【先行技術文献】
【特許文献】
【０００３】
【特許文献１】特許第６２４０５１２号公報
【発明の概要】
【発明が解決しようとする課題】
【０００４】
一般的なオペレータハンドルは、常時、露出されており、外観上、凹凸形状が露出された状態で視認される。そのため、意匠性の向上が望まれている。また、オペレータハンドルの操作性を向上させることも望まれている。
【０００５】
本発明は、意匠性を向上できると共に操作性を向上できるハンドルを備える建具を提供することを目的とする。
【課題を解決するための手段】
【０００６】
本発明は、枠体（例えば、後述の枠体１０）と、前記枠体内に開閉可能に取り付けられる障子（例えば、後述の障子２０）であって、框体（例えば、後述の框体３０）と、前記框体の内側に配置される面材（例えば、後述のガラス２５）と、を有する障子と、前記枠体の下枠（例えば、後述の下枠１２）に取り付けられ、前記障子を開閉操作可能な操作部（例えば、後述のオペレータハンドル５３）と、を備え、前記下枠は、前記面材よりも室内側において前記下枠の上方側の見込面に形成される開口（例えば、後述の下枠開口１２３ａ）を有し、前記操作部は、前記開口を介して前記下枠の内部に収容される収容位置と、前記開口を介して前記下枠の内部から突出される突出位置と、に回動軸（例えば、後述の回動軸Ｊ１）を中心に回動可能であり、前記回動軸は、前記下枠の内部に配置され、前記面材から室内側に向かうに従って前記下枠の上方側から下方側に向かう側に傾斜して延びて形成される建具（例えば、後述の建具１）に関する。
【０００７】
また、前記下枠の内部に配置され前記操作部を収容可能な収容部（例えば、後述のハンドルケース５２）を有し、前記収容部は、前記下枠の下方側から上方側に向かうに従って前記面材から室内側に向かう側に傾斜して延びて形成されることが好ましい。
【０００８】
また、前記操作部（例えば、後述のオペレータハンドル５３Ａ）は、前記突出位置に位置した状態で、前記回動軸に交差する方向に延びる操作回転軸（例えば、後述の操作回転軸Ｊ２）を中心に回転可能に構成され、前記操作回転軸は、前記下枠の下方側から上方側に向かうに従って前記面材から室内側に向かう側に傾斜して延びて形成されることが好ましい。
【０００９】
また、前記操作部は、前記下枠の前記開口を塞ぐ蓋部材を構成し、前記操作部の表面は、前記下枠の見込面を兼ねて構成されることが好ましい。
【発明の効果】
【００１０】
本発明によれば、意匠性を向上できると共に操作性を向上できるハンドルを備える建具を提供することができる。
【図面の簡単な説明】
【００１１】
【図１】本発明の一実施形態に係る建具を室内側から見た正面図である。
【図２】本発明の一実施形態に係る建具を室内側から見た様子を示す斜視図であって、オペレータハンドルを収容位置に配置した状態を示す図である。
【図３】図２に示す状態から、オペレータハンドルを突出位置に移動させた状態を示す斜視図である。
【図４】図２のＡ−Ａ線断面図であって、ハンドル構成部の横断面図である。
【図５】図２のＢ−Ｂ線断面図であって、ハンドル構成部の縦断面図である。
【図６Ａ】オペレータハンドルを持ち上げて第１回転位置に回転させた状態を示す図である。
【図６Ｂ】オペレータハンドルを持ち上げて第２回転位置に回転させた状態を示す図である。
【図７】建具の変形形態を示す図であって、オペレータハンドルが下枠の内部に収容されたハンドル機構を隠す蓋の機能を併せ持つように構成された場合を示す図である。
【発明を実施するための形態】
【００１２】
以下、本発明の好ましい実施形態について、図面を参照しながら説明する。
図１は、本発明の一実施形態に係る建具１を室内側から見た正面図である。図２は、本発明の一実施形態に係る建具１を室内側から見た様子を示す斜視図であって、オペレータハンドル５３を収容位置に配置した状態を示す図である。図３は、図２に示す状態から、オペレータハンドル５３を突出位置に移動させた状態を示す斜視図である。図４は、図２のＡ−Ａ線断面図であって、ハンドル構成部５０の横断面図である。図５は、図２のＢ−Ｂ線断面図であって、ハンドル構成部５０の縦断面図である。図６Ａは、オペレータハンドル５３を持ち上げて第１回転位置に回転させた状態を示す図である。図６Ｂは、オペレータハンドル５３を持ち上げて第２回転位置に回転させた状態を示す図である。
【００１３】
なお、本明細書において、「見付方向」とは、建物に形成された開口部に納められた建具の枠体に収められる障子の面内方向を意味し、「見込方向」とは、室内外方向（即ち、奥行き方向）を意味する。
【００１４】
図１に示すように、建具１は、建物の開口部に固定される枠体１０と、枠体１０にヒンジ（図示せず）を介して開閉可能に取り付けられる外開きの障子２０と、オペレータハンドル５３（操作部）を有するハンドル構成部５０と、を備えるスイング式の開閉窓である。障子２０は、枠体１０内に開閉可能に取り付けられる。本実施形態においては、オペレータハンドル５３は、図１〜図３に示すように、枠体１０の下枠１２（後述）の見込面１２ａ（後述）に取り付けられる。本実施形態の建具１は、オペレータハンドル５３を収容位置（図２参照）と突出位置（図３参照）とに操作を行うことが可能である。突出位置に位置したオペレータハンドル５３において操作回転軸Ｊ２（図６Ａ及び図６Ｂ参照）を中心に回転操作することで、障子２０を室外側に開くことが可能である。
【００１５】
枠体１０は、図１に示すように、上枠１１、下枠１２、吊元側縦枠１３及び戸先側縦枠１４が矩形に枠組みされて構成される。枠体１０には、外開きの障子２０が開閉可能に取り付けられる。
【００１６】
下枠１２は、図４に示すように、縦断面において、中空状の下枠本体１２１と、下枠本体１２１の室内側の端部の上部に接続される室内側部分１２２と、室内側部分１２２の上部に配置される室内側ハンドル配置部１２３と、を有する。室内側部分１２２及び室内側ハンドル配置部１２３は、中空状に形成され、上下方向に並んで配置される。また、下枠１２は、室内側ハンドル配置部１２３の上方側の端部から室内側に見込方向に延びる室内側見込方向延出部１２４を有する。
【００１７】
室内側ハンドル配置部１２３は、下框３２のガラス配置部３２１（後述）の室内側に配置される。室内側ハンドル配置部１２３は、上方側に向けて開放する枠状に形成される。室内側ハンドル配置部１２３の上方側の見込面１２３ｂには、後述するオペレータハンドル５３を有するハンドル構成部５０が取り付けられる。室内側ハンドル配置部１２３の上方側の見込面１２３ｂは、下枠１２の上方側の見込面１２ａの一部を構成する。
【００１８】
下枠本体１２１の上面１２１ａと室内側部分１２２の見付面１２２ａ及び室内側ハンドル配置部１２３の室外側の見付面１２３ｃとで構成されるＬ字状部分の内側の下框収容空間１２０には、障子２０の閉位置において、障子２０の下框３２が配置される。
【００１９】
室内側ハンドル配置部１２３の室外側の見付面１２３ｃには、嵌合部１２５が設けられる。嵌合部１２５には、クッション材１２５ａが取り付けられる。
【００２０】
障子２０は、枠体１０内に開閉可能に取り付けられる。障子２０は、図４に示すように、枠体１０の室外側に配置される。障子２０は、図１に示すように、ガラス２５（面材）と、ガラス２５を囲うように構成される框体３０と、を含んで構成される。ガラス２５は、框体３０の内側に配置される。ガラス２５は、例えば、複層ガラスなどにより構成される。框体３０は、図１に示すように、上框３１、下框３２、吊元側縦框３３及び戸先側縦框３４が矩形に枠組みされて構成される。障子２０は、吊元側縦框３３に沿って上下方向に延びる回動軸３３ａを中心に回動することで、開閉される。
【００２１】
下框３２は、図４に示すように、障子２０の閉位置において、下框収容空間１２０に収容される。下框３２は、下框３２の室外側において上方側に配置されるガラス配置部３２１と、ガラス配置部３２１の下側に配置される方形部分３２２と、方形部分３２２の下側に配置される開放部分３２３と、を有する。ガラス配置部３２１、方形部分３２２及び開放部分３２３は、ガラス２５の端部から、上側から下側にこの順で並んで配置される。ガラス配置部３２１には、ガラス２５の端部が収容される。
【００２２】
障子２０は、オペレータハンドル５３を突出位置に位置させた状態で回転操作を行うことにより、框体３０の吊元側縦框３３に配置される回動軸３３ａ（図１参照）を中心に回動することで開閉される。
【００２３】
ハンドル構成部５０について説明する。ハンドル構成部５０は、図２〜図４に示すように、下枠１２の見込面１２ａに取り付けられる。本実施形態においては、下枠１２の見込面１２ａは、障子２０よりも室内側に配置される。
【００２４】
ハンドル構成部５０は、図５に示すように、ベースプレート５１と、ハンドルケース５２（収容部）と、オペレータハンドル５３（操作部）と、シリンダ錠５４と、プッシュボタン５５と、ボタンストッパ５６と、押し上げバネ５７と、伝達軸部材５８と、回転方向付勢バネ５９と、回動軸Ｊ１を構成する回動軸部材６０と、を有する。
【００２５】
ベースプレート５１は、板状に形成される。ベースプレート５１は、ハンドル構成部５０のベース部分を構成し、図４に示すように、下枠１２の室内側ハンドル配置部１２３の内部において見込方向に延びる内壁１２３ｄに取り付けられる。
【００２６】
ハンドルケース５２は、図４に示すように、下枠１２の室内側ハンドル配置部１２３の内部に配置される。ハンドルケース５２には、オペレータハンドル５３を収容可能である。ハンドルケース５２は、ベースプレート５１を介して、下枠１２の室内側ハンドル配置部１２３の内部において見込方向に延びる内壁１２３ｄに取り付けられる。
【００２７】
ハンドルケース５２は、図５に示すように、見付方向の左右方向に延びる箱状に形成され、上方側に向けて開放するケース開口５２１が形成される。ケース開口５２１は、図４に示すように、ガラス２５よりも室内側に配置される下枠１２の見込面１２ａに形成される下枠開口１２３ａに配置される。
【００２８】
ハンドルケース５２は、図４に示すように、縦断面において、下枠１２の下方側から上方側に向かうに従ってガラス２５から室内側に向かう側に傾斜して延びて形成される。そのため、ハンドルケース５２は、下方側から上方側に向かうに従ってガラス２５から離れるように、ガラス２５に対して傾斜して配置される。これにより、ハンドルケース５２に収容されたオペレータハンドル５３は、下方側から上方側に向かうに従ってガラス２５から離れるように傾斜して、ハンドルケース５２の内部に収容される。
【００２９】
オペレータハンドル５３は、下枠１２の上方側の見込面１２ａに配置される。オペレータハンドル５３は、図５に示すように、ハンドル本体５３１と、回転レバー５３２と、摘まみ部５３３と、を有する。ハンドル本体５３１は、長尺状に形成される。オペレータハンドル５３は、ハンドルケース５２に収容される収容位置（図２、図４参照）と、ハンドルケース５２から突出する突出位置（図３、図６Ａ及び図６Ｂ参照）と、に回動軸部材６０の回動軸Ｊ１を中心に回動可能である。回動軸Ｊ１は、図４に示すように、下枠１２の内部に配置され、ガラス２５から室内側に向かうに従って下枠１２の上方側から下方側に向かう側に傾斜して延びて形成される。
オペレータハンドル５３は、回動軸Ｊ１の回動方向において、押し上げバネ５７により、突出位置側に付勢されている。
【００３０】
オペレータハンドル５３の収容位置は、図４に示すように、下枠１２の上方側の見込面１２ａ（下枠１２の室内側ハンドル配置部１２３の上方側の見込面１２ｂ）に形成される下枠開口１２３ａにおいて、ハンドルケース５２のケース開口５２１を介して下枠１２の内部に配置されるハンドルケース５２に収容される位置である。オペレータハンドル５３は、収容位置において、ハンドルケース５２の内部に収容されることで、下枠１２の内部に収容される。オペレータハンドル５３は、収容位置に位置する場合に、図５に示すように、ハンドルケース５２の内部に配置され、ハンドルケース５２の長手方向に沿って延びる。
【００３１】
オペレータハンドル５３の突出位置は、図６Ａ及び図６Ｂに示すように、下枠１２の内側の見込面１２ａに配置される下枠開口１２３ａにおいて、ハンドルケース５２のケース開口５２１を介して突出される位置である。オペレータハンドル５３は、突出位置において、ハンドルケース５２の内部から外部に突出することで、下枠１２の外部に突出される。
【００３２】
摘まみ部５３３は、回転レバー５３２を介して、ハンドル本体５３１の先端に接続されている。回転レバー５３２は、図５に示すように、巻バネ５３２ａにより、回転レバー５３２の側面がハンドル本体５３１の上面と同一平面上に位置するように付勢されている。
【００３３】
摘まみ部５３３は、図６Ａに示すように、オペレータハンドル５３が突出位置に位置する場合に、付勢位置（二点鎖線の位置）と操作位置（実線の位置）とに移動可能である。摘まみ部５３３の付勢位置においては、図５に示すように、巻バネ５３２ａにより、回転レバー５３２の側面がハンドル本体の上面と同一平面上に位置するように付勢されている。
【００３４】
オペレータハンドル５３が突出位置に位置する場合において、図６Ａに示すように、摘まみ部５３３を付勢位置（二点鎖線の位置）から操作位置（実線の位置）に移動させる場合には、摘まみ部５３３を上方側に持ち上げることで、巻バネ５３２ａの付勢力に抗して、回転レバー５３２を回動軸Ｊ３を中心に回動させて、摘まみ部５３３を上方側に位置させる。摘まみ部５３３は、オペレータハンドル５３を操作回転軸Ｊ２を中心に回転操作する際に、操作位置に位置された状態で把持される。摘まみ部５３３は、オペレータハンドル５３を操作回転軸Ｊ２を中心に回転操作された後に、手が離されると、巻バネ５３２ａの付勢力により、付勢位置に戻される。
【００３５】
オペレータハンドル５３は、突出位置に位置した状態で、回動軸Ｊ１に交差する方向に延びる操作回転軸Ｊ２を中心に回転可能に構成される。操作回転軸Ｊ２は、下枠１２の下方側から上方側に向かうに従ってガラス２５から室内側に向かう側に傾斜して延びて形成される。オペレータハンドル５３は、操作回転軸Ｊ２の回転方向において、回転方向付勢バネ５９により、一方側に付勢されている。
【００３６】
図６Ａ及び図６Ｂに示すように、オペレータハンドル５３は、突出位置に位置する場合に、操作回転軸Ｊ２を中心に回転することで、障子２０のガラス２５から最も離れる第１回転位置（図６Ａ参照）と、障子２０のガラス２５に最も近づく第２回転位置（図６Ｂ参照）と、の間を回転可能である。
【００３７】
例えば、オペレータハンドル５３の第２回転位置において、図６Ｂに示すように、摘まみ部５３３のガラス２５側に突出する部分の端部は、ガラス２５の室内側の表面２５ａから距離Ｌ１離れて配置されており、回転レバー５３２のガラス２５側に突出する部分の端部は、ガラス２５の室内側の表面２５ａから距離Ｌ２離れて配置されている。本実施形態においては、例えば、距離Ｌ１は、３〜４ｃｍ程度であり、距離Ｌ２は、２〜３ｃｍ程度である。これにより、オペレータハンドル５３の先端と障子２０のガラス２５の室内側の表面２５ａとの間には、指を入れることができる距離Ｌ１が確保される。これにより、オペレータハンドル５３の操作時に、指がガラス２５に当たることなく障子２０の開閉操作を行うことができる。
【００３８】
シリンダ錠５４は、図５に示すように、ハンドルケース５２の一端部（図２における右側の端部）に収容される。シリンダ錠５４は、オペレータハンドル５３の収容位置において、ボタンストッパ５６がプッシュボタン５５を押せないように規制して、プッシュボタン５５を操作不能に施錠する錠である。シリンダ錠５４の鍵穴５４１に鍵を挿入して回転操作することで、ボタンストッパ５６をスライド移動させて解錠することができる。ボタンストッパ５６を下方側にスライド移動させた状態においては、ボタンストッパ５６がプッシュボタン５５から退避するため、プッシュボタン５５の押圧操作が可能となる。
【００３９】
プッシュボタン５５は、シリンダ錠５４の解錠状態において、押されることで、ハンドルケース５２の内部に配置されるオペレータハンドル５３の回転レバー５３２を回動することが可能である。オペレータハンドル５３の回転レバー５３２は、凹部５３２ｂを有し、凹部５３２ｂにプッシュボタン５５の係合突起５５１が係合した状態で、プッシュボタン５５が押されることで、オペレータハンドル５３を押し上げる。
【００４０】
これにより、プッシュボタン５５を押すことにより、オペレータハンドル５３の回転レバー５３２が回動されることで、オペレータハンドル５３を押し上げることができる。プッシュボタン５５は、ハンドルケース５２の内部側に押された後に、コイルバネ５５２の付勢力により、表面が、ハンドルケース５２の表面と同一平面上に位置する基準位置に復帰可能である。
【００４１】
以上のように構成されるハンドル構成部５０は、シリンダ錠５４を解錠した状態で、プッシュボタン５５を押圧することで、回転レバー５３２が回動して、オペレータハンドル５３を押し上げる。オペレータハンドル５３を回動軸Ｊ１を中心に回動させてオペレータハンドル５３を上方側へ持ち上げることで、図２及び図４に示す収容位置（図２、図４参照）から、突出位置（図３、図６Ａ及び図６Ｂ参照）に移動する。この突出位置においては、オペレータハンドル５３は、操作回転軸Ｊ２を中心に回転可能に構成され、第１回転位置（図６Ａ参照）と第２回転位置（図６Ｂ参照）との間を回転可能である。
【００４２】
本実施形態においては、回動軸Ｊ１は、下枠１２の内部に配置され、ガラス２５から室内側に向かうに従って下枠１２の上方側から下方側に向かう側に傾斜して延びて形成されるため、オペレータハンドル５３の先端をガラス２５から離れた状態で突出位置に位置させることができる。そのため、オペレータハンドル５３の先端と障子２０のガラス２５との間には、図６Ｂに示すように、第２回転位置において、指を入れることができる距離Ｌ１及び距離Ｌ２が確保される。これにより、オペレータハンドル５３の操作時に、指がガラス２５に当たることなく障子２０の開閉操作を容易に行うことができる。
【００４３】
また、本実施形態においては、オペレータハンドル５３の操作回転軸Ｊ２は、下方側から上方側に向かうに従ってガラス２５から室内側に向かう側に傾斜して延びて配置される。そのため、オペレータハンドル５３をガラス２５に対して離れる側に傾斜した状態で、オペレータハンドル５３を、操作回転軸Ｊ２を中心に回転させることができる。これにより、オペレータハンドル５３の先端と障子２０のガラス２５との間には、指を入れることができる距離Ｌ１及び距離Ｌ２が確保される。よって、オペレータハンドル５３の操作時に、指がガラス２５に当たることなく障子２０の開閉操作を容易に行うことができる。
【００４４】
以上説明した上記実施形態の構成によれば、以下のような効果を奏する。
本実施形態の建具１は、枠体１０と、枠体１０内に開閉可能に取り付けられる障子２０と、框体３０に取り付けられ障子２０を開閉操作可能なオペレータハンドル５３と、を備え、オペレータハンドル５３は、下枠開口１２３ａを介して下枠１２の内部に収容される収容位置と、下枠開口１２３ａを介して下枠１２の内部から突出される突出位置と、に回動軸Ｊ１を中心に回動可能であり、回動軸Ｊ１は、下枠１２の内部に配置され、ガラス２５から室内側に向かうに従って下枠１２の上方側から下方側に向かう側に傾斜して延びて形成される。
【００４５】
そのため、オペレータハンドル５３を収容位置に配置できるため、凹凸が外部に露出されず、意匠性を向上できる。
また、回動軸Ｊ１が、ガラス２５から室内側に向かうに従って下枠１２の上方側から下方側に向かう側に傾斜して延びて形成されるため、オペレータハンドル５３の先端をガラス２５から離れた状態で突出位置に位置させることができる。そのため、オペレータハンドル５３の先端と障子２０のガラス２５との間には、指を入れることができる距離Ｌ１及び距離Ｌ２が確保される。これにより、オペレータハンドル５３の操作時に、指がガラス２５に当たることなく障子２０の開閉操作を容易に行うことができる。
よって、オペレータハンドル５３意匠性を向上できると共に、オペレータハンドル５３の操作性を向上できる。
【００４６】
また、本実施形態においては、下枠１２の内部に配置されオペレータハンドル５３を収容可能なハンドルケース５２を有し、ハンドルケース５２は、下枠１２の下方側から上方側に向かうに従ってガラス２５から室内側に向かう側に傾斜して延びて形成される。これにより、オペレータハンドル５３をガラス２５に対して離れる側に傾斜した状態で、オペレータハンドル５３を、突出位置に容易に移動させることができる。
【００４７】
また、本実施形態においては、オペレータハンドル５３は、突出位置に位置した状態で、回動軸Ｊ１に交差する方向に延びる操作回転軸Ｊ２を中心に回転可能に構成され、操作回転軸Ｊ２は、下枠の下方側から上方側に向かうに従ってガラス２５から室内側に向かう側に傾斜して延びて形成される。これにより、オペレータハンドル５３をガラス２５に対して離れる側に傾斜した状態で、オペレータハンドル５３を、操作回転軸Ｊ２を中心に回転させることができる。よって、オペレータハンドル５３の操作時に、指がガラス２５に当たることなく障子２０の開閉操作を容易に行うことができる。
【００４８】
以上、本発明の好ましい実施形態について説明したが、本発明は、上述の実施形態や変形例に制限されるものではなく、適宜変更が可能である。
【００４９】
例えば、前記実施形態では、オペレータハンドル５３を下枠１２の内部に収容されるように構成したが、次のような変形形態のように構成してもよい。図７は、建具１の変形形態を示す図であって、オペレータハンドル５３が下枠１２の内部に収容されたハンドル機構を隠す蓋の機能を併せ持つように構成された場合を示す図である。
【００５０】
図７に示すように、オペレータハンドル５３Ａの表面を蓋部材として構成してもよい。
具体的には、枠体１０Ａの下枠１２Ａにおいて、見込方向に延びる室内側見込方向延出部１２４Ａを、下枠１２Ａの見込面１２ａよりも下方側に位置するように形成する。そして、オペレータハンドル５３Ａを、下枠１２Ａの室内側ハンドル配置部１２３Ａの室内側の角部に配置する。これにより、オペレータハンドル５３Ａは、下枠１２の下枠開口１２３ａを塞ぐ蓋部材を構成することができる。よって、オペレータハンドル５３Ａの表面を、下枠１２の見込面１２ａを兼ねて構成することができる。変形形態の建具１Ａにおいても、前記実施形態と同様の効果を奏することができる。
【００５１】
また、前記実施形態では、スイング式の開閉窓を本発明の建具の一例として説明したが、この構成に限定されない。例えば、縦滑り出し窓、横滑り出し窓、引き違い窓等の構成を備える種々の建具に本発明を適用することができる。
【００５２】
また、前記実施形態の面材をガラスで構成したが、これに限定されない。例えば、オペレータハンドルを用いる建具において、ガラスの室内側に網戸を配置して、網戸を開け閉めせずに、オペレータハンドルを開閉操作するように構成することがある。このような場合には、例えば、面材を、前記実施形態のガラス２５に代えて、障子２０の室内側に配置される網戸で構成してもよい。
【００５３】
また、前記実施形態においては、シリンダ錠５４を備えることで、オペレータハンドル５３（操作部）を操作不能又は操作可能とする構成としたが、これに限定されない。シリンダ錠を備えていなくてもよく、例えば、手で操作するスイッチ構造などで構成してもよい。
【００５４】
また、前記実施形態においては、ボタンストッパ５６を退避させた状態で、プッシュボタン５５を押すことにより、オペレータハンドル５３を押し上げるように構成したが、これに限定されない。例えば、単にオペレータハンドル５３を手で持ち上げる仕様のものや、別の構造で実現してもよい。
【符号の説明】
【００５５】
１  建具
１０  枠体
１２  下枠
２０  障子
２５  ガラス（面材）
３０  框体
５２  ハンドルケース（収容部）
５３  オペレータハンドル（操作部）
５３Ａ  オペレータハンドル（操作部、蓋部材）
１２３ａ  下枠開口（開口）
Ｊ１  回動軸
Ｊ２  操作回転軸
【図１】
2020020119.tif 000003
【図２】
2020020119.tif 000004
【図３】
2020020119.tif 000005
【図４】
2020020119.tif 000006
【図５】
2020020119.tif 000007
【図６Ａ】
2020020119.tif 000008
【図６Ｂ】
2020020119.tif 000009
【図７】
2020020119.tif 000010